(57)【要約】本発明は、軸線方向に局限されて正確に案内される軸、機械装置用の回転輪等用の軸受装置に関する。比較的僅かな大きさで生じる軸線方向逆押圧力が、少ない費用の軸受により吸収されるようにする。軸受装置は、作動により生じる軸線方向力を吸収するアンギュラコンタクト玉軸受（１１）特にアンギュラコンタクト玉軸受と、支持軸受として構成されて生じる軸線方向逆押圧力を吸収する円筒ころ軸受（１２）から成っている。
2009516814.tif 000002
【特許請求の範囲】
【請求項１】
軸線方向に局限されて正確に案内される軸、機械装置用の回転輪等用の軸受装置において、作動により生じる押圧力を吸収するアンギュラコンタクト玉軸受（１１）と、支持軸受として構成されて生じる逆押圧力を吸収する円筒ころ軸受（１２）とが設けられていることを特徴とする、軸受装置。
【請求項２】
円筒ころ軸受（１２）がＮＪ円筒ころ軸受として構成されていることを特徴とする、請求項１に記載の軸受装置。
【請求項３】
アンギュラコンタクト玉軸受（１１）の内レース（１３）とＮＪ円筒ころ軸受（１２）の内レース（１４）との間に、非常に小さい軸受方向遊隙（Ｂ）が形成されていることを特徴とする、請求項１又は２に記載の軸受装置。
【発明の詳細な説明】
【技術分野】
【０００１】  本発明は、例えば回転輪または他の機械装置のように軸線方向に限定されて正確に案内される軸等用の軸受装置に関する。
【背景技術】
【０００２】  送風機羽根車等のような回転輪を周囲構造に対して軸線方向に非常に限定されて案内せねばならない機械製造の分野において、例えば歯車装置軸におけるように軸線方向に非常に正確に案内される軸を支持する際、複数種類の軸受から成る軸線装置を使用せねばならない。【０００３】  ４点軸受いわゆるＱＪ軸受及び縁付きラジアル軸受いわゆるＮＵ軸受から成る軸受装置がしばしば使用される。このような組合わせ軸受は、例えばＦＡＧ  ＯＥＭ  Ｈａｎｄｅｌ  ＡＧ社の刊行物ＷＬ００２００／５  ＤＡＳ．１５０から公知である。ここではこの組合わせ軸受は、軸を支持するための組合わされる減速歯車装置及び溝付きロール歯車装置において使用される。【０００４】  この場合の欠点は、４点軸受は規格により３５°の押圧力でのみ使用可能なことである。更に４点軸受は比較的高価である。【０００５】  更に軸受装置がＸ配置又はＯ配置のアンギュラコンタクト玉軸受対とＮＵアキシアル軸受から成る軸の支持装置が公知である。このような支持装置は例えばＦＡＧ  Ｋｕｇｅｌｆｉｓｃｈｅｒ  Ｇｅｏｒｇ  Ｓｃｈａｅｆｅｒ  ＫＧａＡ社の刊行物ＷＬ００  ２００／４ＤＡ  Ｓ．１６３に記載されている。ここでは２つの複列円筒ころ軸受とＸ配置の２つのアンギュラコンタクト玉軸受から成る組合わせが、加工ロールの軸受において使用される。【０００６】  特に作動中に方向づけられる軸線方向力を持つ使用の場合、及び特別な作動状態においてのみ時間的に小さい割合で例えば装置の加速及び減速の際軸線方向作動押圧力に打勝つ逆押圧力が生じる場合、完全な価値がありかつ高価な逆押圧力軸受を使用してはならない。
【発明の開示】
【発明が解決しようとする課題】
【０００７】  この背景の前で本発明の基礎になっている課題は、軸線方向に限定されて正確に案内される軸、機械装置例えば歯車装置軸用の回転輪等の軸受装置を提供し、僅かな大きさで生じる逆押圧力が僅かな費用の軸受で吸収されるようにすることである。
【課題を解決するための手段】
【０００８】  機械装置の伝動中に生じる逆押圧力が、しばしば僅かな時間的割合及び僅かな値で生じ、この逆押圧力が簡単な軸受により吸収可能である、という認識が本発明の基礎になっている。【０００９】  与えられた課題は、請求項１の特徴によれば、作動により生じる軸線方向力を吸収するアンギュラコンタクト玉軸受と、支持軸受として構成されて軸線方向逆押圧力を吸収する円筒ころ軸受とから成る軸受装置の使用によって解決される。【００１０】  従属請求項は、本発明の好ましい展開又は構成を記載している。それによれば、まず円筒ころ軸受がＮＪ円筒ころ軸受として構成されている。【００１１】  本発明による軸受装置の別の構成によれば、アンギュラコンタクト玉軸受の内レースとＮＪ円筒ころ軸受の内レースとの間に、非常に小さい軸線方向遊隙が形成されている。【００１２】  本発明による解決策によって、特にアンギュラコンタクト玉軸受の内レースと曲げ縁付き滑り軸受として構成されるＮＪ円筒ころ軸受の内レースとの間の非常に小さい軸線遊隙によって、軸、回転輪等とこれらの部材を軸線方向に限定されて正確に案内せねばならない機械装置のハウジングとの間の正確な案内が行われる。【００１３】  機械装置の作動中に通常生じる押圧力は、アンギュラコンタクト玉軸受を介して吸収される。しかしまれに小さい値で生じる逆押圧力は、ＮＪ円筒ころ軸受の曲げ縁により吸収される。【００１４】  付加的な曲げ縁を持つＮＪ円筒ころ軸受は、製造において従来の解決策によるＮＪアンギュラ軸受より少し高価であるが、ＱＪ４点軸受はアンギュラコンタクト玉軸受より比較的多く費用がかかるので、本発明による軸受装置では全体として費用の利点が生じる。【００１５】  従来の解決策に対して１つの完全な軸受がなくなると、この費用の利点は更に高まる。【００１６】  添付図面により本発明の実施例が以下に詳細に説明される。
【発明を実施するための最良の形態】
【００１７】  図１に示す従来技術による軸受装置１は、内レース３と外レース４との間にある玉５を持つ４点軸受として構成されるＱＬ軸受２、及び内レース７と曲げ縁付き外レース８との間に案内される円筒ころ９を持つ曲げ縁付き外レース軸受として構成されるＮＵアキシアル軸受６から成っている。この場合軸線方向遊隙は、矢印Ａに従って４点軸受に設定されている。【００１８】  図２による軸受装置１０は、本発明によれば、アンギュラコンタクト玉軸受１１及び支持軸受として構成されるＮＪ円筒ころ軸受１２から成っている。両方の軸受１１及び１２は、それぞれ内レース１３及び１４と外レース１５及び１６とを持ち、内レースと外レースとの間に玉１７及び円筒ころ１８が収容されている。【００１９】  アンギュラコンタクト玉軸受１１の内レース１３とＮＪ円筒ころ軸受１２の内レース１４との間に、矢印Ｂに従って非常に小さい軸線方向遊隙が形成されている。それにより軸受１１及び１２内に案内されるが図示しない部材と周りを包囲する図示しないハウジングとの間の正確な案内が保証される。【００２０】  作動により生じる押圧力は、アンギュラコンタクト玉軸受１１により吸収される。場合によっては現れる僅かな逆押圧力は、ＮＪ円筒ころ軸受１２によって吸収される。
【図面の簡単な説明】
【００２１】
【図１】  従来技術による従来の軸受装置の切断側面図を示す。
【図２】  本発明により構成される軸受装置の切断側面図を示す。
【符号の説明】
【００２２】  １，１０              軸受装置
２                    ＱＪ軸受
３，７，１３，１４    内レース
４，８，１５，１６    外レース
５，１７              玉
６                    ＮＪアキシアル軸受
９，１８              円筒ころ
１１                  アンギュラコンタクト玉軸受
１２                  ＮＪ円筒ころ軸受
Ａ，Ｂ                軸線方向遊隙
【図１】
2009516814.tif 000003
【図２】
2009516814.tif 000004
【国際調査報告】
2009516814.tif 000005
2009516814.tif 000006
2009516814.tif 000007
2009516814.tif 000008
2009516814.tif 000009
2009516814.tif 000010